(57)【要約】【課題】ユーザーの情緒を効果的に改善し、かつユーザーを瞑想状態に導くことができ、ユーザーの睡眠を改善することのできる点灯装置等を提供する。【解決手段】点灯装置は、光源ユニットに電流を供給するように配置された点灯回路と、点灯回路に対し調光制御を行う制御回路と、外部からユーザー状態を示す制御信号を受信するように配置された受信部とを備える。調光制御は睡眠誘導制御を含む。睡眠誘導制御を行うとき、点灯回路から光源ユニットに供給する電流の値が増大および低減する変化を行うように、点灯装置の制御回路は点灯回路に対し制御を行い、また、点灯装置により受信された制御信号がユーザーが第１状態にあることを示す場合、受信された制御信号がユーザーが第２状態にあることを示す場合に比べて、点灯回路から光源ユニットに供給する電流の平均値が低下し、第２状態に比べて、第１状態では、ユーザーはより入眠状態に近づく。【選択図】図１
2019102440.tif 000002
【特許請求の範囲】
【請求項１】
少なくとも１つの光源ユニットを点灯させるための点灯装置であって、
前記点灯装置は、
前記光源ユニットに電流を供給するように配置された点灯回路と、
前記点灯回路に対し調光制御を行うことにより、前記光源ユニットに対し調光を行うように配置された制御回路と、
外部からユーザー状態を示す制御信号を受信するように配置された受信部とを備え、
前記調光制御は睡眠誘導制御を含み、
前記睡眠誘導制御を行うとき、前記点灯回路から前記光源ユニットに供給する電流の値が増大および低減する変化を行うように、前記制御回路は前記点灯回路に対し制御を行い、また、前記受信部により受信された制御信号がユーザーが第１状態にあることを示す場合、前記受信部により受信された制御信号がユーザーが第２状態にあることを示す場合に比べて、前記点灯回路から前記光源ユニットに供給する電流の平均値が低下し、前記第２状態に比べて、前記第１状態では、ユーザーはより入眠状態に近づく
点灯装置。
【請求項２】
前記第２状態に比べて、前記第１状態では、ユーザーの毎分の呼吸回数はより少なく、ユーザーの毎分の動脈拍動回数はより少なく、ユーザーの体温はより低く、またはユーザーの血圧はより低い
請求項１に記載の点灯装置。
【請求項３】
前記点灯回路から前記光源ユニットに供給する電流の平均値低下は、前記点灯回路から前記光源ユニットに供給する電流の最大値と最小値がいずれも低下すること、または前記点灯回路から前記光源ユニットに供給する電流の最大値が低下し、かつ最小値をそのまま維持することを含む
請求項１または２に記載の点灯装置。
【請求項４】
前記睡眠誘導制御を行うとき、前記点灯回路から前記光源ユニットに供給する電流の変化における誘導時間帯は３秒〜３．７５秒の範囲内にあり、当該誘導時間帯は前記電流が最小値から最大値に増大する時間帯または当該電流が最小値から最大値に増大した後、最小値に低減する時間帯であり、
ユーザーがより入眠状態に近づくにつれて、前記誘導時間帯は３秒〜３．７５秒の範囲内で段階的に延びる
請求項１〜３のいずれか１項に記載の点灯装置。
【請求項５】
前記睡眠誘導制御全体における前記誘導時間帯は３秒、３．１６秒、３．３３秒、３．５３秒、３．７５秒のうち複数または全てを含み、
前記誘導時間帯が第１値である期間と前記誘導時間帯が第２値である期間との間に遷移時間帯が設けられ、当該遷移時間帯内で、前記誘導時間帯は前記第１値から前記第２値に徐々に変わる
請求項４に記載の点灯装置。
【請求項６】
前記制御信号はユーザーの毎分の呼吸回数を含み、
前記制御回路は前記誘導時間帯を６０／（ユーザーの毎分の呼吸回数−１）秒に設定する
請求項５に記載の点灯装置。
【請求項７】
前記制御信号に基づいて、ユーザーの毎分の呼吸回数、脈拍数、体温または血圧が所定値まで低下したことあるいは低下後に所定時間そのまま変わらないことを判断した場合、前記制御回路はユーザーが入眠状態に入ったと判断し、前記点灯回路から前記光源ユニットに供給する電流を前記光源ユニットを点灯できない値に制御する
請求項１〜６のいずれか１項に記載の点灯装置。
【請求項８】
請求項１〜７のいずれか１項に記載の点灯装置、および
前記少なくとも１つの光源ユニットを備える
照明器具。
【請求項９】
請求項８に記載の照明器具、および
ユーザー状態を検出し、前記ユーザー状態を示す制御信号を前記点灯装置の前記受信部に送信するように配置される人体状態取得装置を備える
照明システム。
【請求項１０】
前記人体状態取得装置は、ユーザーの毎分の呼吸回数を検出する装置、ユーザーの脈拍数を検出する装置、ユーザーの体温を検出する装置およびユーザーの血圧を検出する装置のうちの少なくとも１つを備え、検出されたユーザーの毎分の呼吸回数、脈拍数、体温および血圧のうちの少なくとも１つに基づいて、前記ユーザー状態を示す前記制御信号を特定する
請求項９に記載の照明システム。
【発明の詳細な説明】
【技術分野】
【０００１】
本発明は照明分野に関し、特にユーザーの睡眠を改善することのできる点灯装置、照明器具および照明システムに関する。
【背景技術】
【０００２】
世界保健機関の調査結果によると、２７％の人が睡眠問題を抱えている。この問題は中国において急速に進んでおり、生活のテンポが速く、生活のストレスが大きい社会においてより顕著である。最新の調査結果によると、中国では３５％〜４２％の人が睡眠問題に悩まされている。従来の解決方法では、例えば睡眠導入薬を服用するが、この問題を完全には解決できていない。
【発明の概要】
【発明が解決しようとする課題】
【０００３】
近年、音や匂いなどでユーザーの睡眠を改善する各種方法が提案されている。しかし、現在提案されているいずれの方法も不眠症の人々のニーズを未だ満たしていない。
【０００４】
これに鑑みて、本発明はユーザーの睡眠を改善することのできる点灯装置、照明器具および照明システムを提供する。
【課題を解決するための手段】
【０００５】
本発明の一観点によると、少なくとも１つの光源ユニットを点灯させるための点灯装置を提供し、前記点灯装置は、前記光源ユニットに電流を供給するように配置された点灯回路と、前記点灯回路に対し調光制御を行うことにより、前記光源ユニットに対し調光を行うように配置された制御回路と、外部からユーザー状態を示す制御信号を受信するように配置された受信部とを備え、前記調光制御は睡眠誘導制御を含み、前記睡眠誘導制御を行うとき、前記点灯回路から前記光源ユニットに供給する電流の値が増減する変化を行うように、前記制御回路は前記点灯回路に対し制御を行い、また、前記受信部により受信された制御信号がユーザーが第１状態にあることを示す場合、前記受信部により受信された制御信号がユーザーが第２状態にあることを示す場合に比べて、前記点灯回路から前記光源ユニットに供給する電流の平均値が低下し、前記第２状態に比べて、前記第１状態では、ユーザーはより入眠状態に近づく。
【０００６】
本発明の他の観点によると、上述のような点灯装置、および前記少なくとも一つ光源ユニットを含む照明器具を提供する。
【０００７】
本発明のさらに他の観点によると、上述のような照明器具、およびユーザー状態を検出し、前記ユーザー状態を示す制御信号を前記点灯装置の前記受信部に送信するように配置される人体状態取得装置を備える照明システムを提供する。
【発明の効果】
【０００８】
調査によると、情緒不安定は睡眠問題を引き起こす要因である。本発明の点灯装置、照明器具および照明システムを用いて、光源ユニットから発せられる光を明暗変化させ、かつユーザー状態に基づいて強度を次第に低下させることにより、ユーザーの情緒を効果的に改善し、かつユーザーを瞑想状態に導くことができ、これにより睡眠を効果的に改善することができる。
【図面の簡単な説明】
【０００９】
【図１】図１は本発明の実施例１における照明システムの構成を示す図である。
【図２】図２は本発明の実施例１における点灯回路から光源ユニットに供給する電流の具体的な波形の例を示す図である。
【図３】図３は本発明の実施例１における点灯回路から光源ユニットに供給する電流の具体的な波形の例を示す図である。
【図４】図４は本発明の実施例１における点灯回路から光源ユニットに供給する電流の具体的な波形の例を示す図である。
【図５】図５は本発明の実施例１における点灯回路から光源ユニットに供給する電流の具体的な時間設定の例を示す図である。
【図６】図６は本発明の実施例１における点灯回路から光源ユニットに供給する電流の具体的な時間設定の例を示す図である。
【図７】図７はテストにより得られるユーザーの入眠感、呼吸頻度および睡眠誘導制御実行時間の関係を示す図である。
【図８】図８は本発明の実施例３における点灯装置および照明器具の構成を示す図である。
【図９】図９は照明器具が吊り照明である場合の光源ユニットおよび第２光源ユニットの具体的な設置位置および照射方向を示す図である。
【図１０】図１０は照明器具がフロアスタンドである場合の光源ユニットおよび第２光源ユニットの具体的な設置位置および照射方向を示す図である。
【発明を実施するための形態】
【００１０】
以下、図面を参照して本発明の例示的な各実施例、特徴および観点を詳細に説明する。明細書に含まれかつ明細書の一部を構成する図面は明細書とともに本発明の例示的な実施例、特徴および観点を示し、本発明の原理を説明するためのものである。図面において同じ符号は機能が同じまたは類似する要素を示す。図面において実施例の各観点を示すが、特に指示しない限り、縮尺どおりに描く必要はない。
【００１１】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００１２】
また、本発明をより良く説明するために、下記の具体的な実施の態様において多くの具体的な詳細を示す。当業者は、これら具体的な詳細に関わらず、本発明は同様に実施可能であると理解すべきである。一部の実施例において、本発明の趣旨を明確にするために、当業者にとって周知の方法、手段、要素および回路について詳細な説明は行わない。
【００１３】
（実施例１）
図１は本発明の実施例１における照明システムを示す。当該照明システムは照明器具１およびユーザー状態取得装置５を含む。当該照明器具１は点灯装置２および光源ユニット３を含む。点灯装置２が光源ユニット３に電流を供給することにより、光源ユニット３を点灯させる。点灯装置２は、外部電源４から電力を受信し光源ユニット３に電流を供給するための点灯回路２１、点灯回路２１に対し調光制御を行うことにより光源ユニット３に対し調光を行う制御回路３１、および外部から制御信号を受信することのできる受信部３２を含む。
【００１４】
電源４は商用電源などの交流電源でもよく、電池などの直流電源でもよい。点灯回路２１の構成は電源４のタイプにより異なる。電源４が交流電源である場合、点灯回路２１は整流平滑回路や電力変換回路を含んでもよい。整流平滑回路は整流回路や平滑コンデンサを含んでもよい。好ましくは、整流回路はダイオードブリッジを含んでもよい。整流回路は、交流電源から供給される交流電力に対し全波整流を行うように設けられる。平滑コンデンサは、整流回路を全波整流して得られる脈動電圧（脈動電流）に対し平滑化（波紋除去）を行うように設けられる。電力変換回路は降圧チョッパ回路（降圧ＤＣ／ＤＣコンバータ）を含み、整流平滑回路から出力される電力を変換して、光源ユニット３が動作するために必要な電流を出力してもよい。電源４が直流電源である場合、点灯回路２１は例えば昇圧チョッパ回路、降圧チョッパ回路または昇降圧チョッパ回路のＤＣ／ＤＣコンバータを含み、直流電源から出力される電力を変換して、光源ユニット３が動作するために必要な電流を出力してもよい。
【００１５】
制御回路３１は点灯回路２１における光源ユニット３と直列接続するスイッチに対しスイッチ制御を行い、点灯回路２１から光源ユニット３に出力する電流の値を変更することにより、光源ユニット３に対し調光を行ってもよい。
【００１６】
受信部３２は無線または有線により後述のユーザー状態取得装置５における送信部５５と通信を行い、送信部５５はユーザー状態を示す制御信号を受信し、受信した制御信号を制御回路３１に供給してもよい。受信部３２および送信部５５は、例えばＷｉＦｉ、Ｚｉｇｂｅｅ、Ｂｌｕｅｔｏｏｔｈ（登録商標）、ＰＬＣ（電力線通信）などの如何なる通信方式を用いてもよく、本発明はこれに限定されない。
【００１７】
光源ユニット３は１つまたは複数の直列および／あるいは並列接続のＬＥＤ（発光ダイオード）を含んでもよい。光源ユニット３から発せられる光の強度と点灯回路２から光源ユニット３に供給する電流値の大きさとは正比例し、点灯回路２１から光源ユニット３に供給する電流値が所定値より小さい場合、光源ユニット３は発光しない。
【００１８】
ここで、以上の内容は本発明の点灯装置および照明器具の構成に対する例示的な説明にすぎない。本発明の点灯装置および照明器具の構成は以上の内容に限定されず、当業者は周知の如何なる適切な形式の構成を用いてもよい。
【００１９】
ユーザー状態取得装置５は、呼吸頻度算出部５１、脈拍数算出部５２、体温算出部５３、血圧算出部５４、制御部５５および送信部５６を含む。
【００２０】
また、ユーザー状態取得装置５は光電センサーを含み、当該光電センサーはユーザーの身体にビームを照射し、当該ビームは動脈中に流れる血液に吸収され、当該光電センサーはユーザーの身体から反射または透過する光を受信してもよい。呼吸頻度算出部５１、脈拍数算出部５２および血圧算出部５４は光電センサーが受信した反射光または透射光に対し所定のデータ処理を行うことにより、ユーザーの呼吸頻度（毎分の呼吸回数）、脈拍数（毎分の動脈拍動回数）および血圧を取得してもよい。
【００２１】
また、呼吸頻度算出部５１はユーザーの胸部に貼る三軸加速度センサーを含み、三軸加速度センサーにより取得された呼吸情報を分析することによりユーザーの呼吸頻度を算出してもよい。また、呼吸頻度算出部５１はさらにユーザーの周囲に設けられる音センサーを含み、音センサーにより取得された呼吸音を分析することによりユーザーの呼吸頻度を算出してもよい。
【００２２】
また、脈拍数算出部５２は心電データを取得する心電センサーを含み、心電センサーにより取得された心電データを分析することによりユーザーの脈拍数を算出してもよい。また、脈拍数算出部５２はユーザーの腕などの位置に貼る圧力センサーを含み、圧力センサーにより取得されたデータを分析することによりユーザーの脈拍数を算出してもよい。
【００２３】
また、血圧算出部５４はユーザーの腕などの位置に巻かれる圧迫バンドおよび対応する血圧測定モジュールおよびエアポンプなどを含み、圧迫バンドに対し空気充填または排気を行うことによりユーザーの血圧を測定してもよい。
【００２４】
また、体温算出部５３はユーザーの体表に貼る温度センサーを含み、温度センサーの検出結果に基づいてユーザーの体温を取得してもよい。
【００２５】
本発明は呼吸頻度算出部５１、脈拍数算出部５２、体温算出部５３および血圧算出部５４の具体的構成に限定されず、如何なる適切な構成を用いて呼吸頻度、脈拍数、体温および血圧の算出を行ってもよい。
【００２６】
呼吸頻度算出部５１、脈拍数算出部５２、体温算出部５３および血圧算出部５４は、算出したデータを制御部５５に供給する。制御部５５は受信したデータに基づいて、ユーザー状態を特定する。当業者にとって周知のように、人が入眠状態に徐々に入るにつれて、人の呼吸頻度、脈拍数、体温、血圧は徐々に低下し、入眠状態に入った後、最低値を維持する。呼吸頻度、脈拍数、体温および／あるいは血圧が所定値まで低下したとき、ユーザーが入眠状態に入ったと判定してもよい。当該所定値は事前にユーザーが入眠状態に入ったときの検出データに基づいて特定してもよい。呼吸頻度、脈拍数、体温および／あるいは血圧が低下し、その後、所定の時間そのまま維持するときに、ユーザーが入眠状態に入ったと判定してもよい。
【００２７】
また、制御部は以下のような方法でユーザーの入眠度を示す数値を算出してもよく、当該数値が小さいほど、ユーザーが入眠状態に近づくことを示す。ここで、呼吸頻度が低いほど、当該数値が小さく、脈拍数が低いほど、当該数値が小さく、体温が低いほど、当該数値が小さく、血圧が低いほど、当該数値が小さい。また、制御部は以下のような公式に基づいて当該数値Ｆを算出してもよい。
【００２８】
Ｆ＝（Ａ×呼吸頻度＋Ｂ×脈拍数＋Ｃ×体温＋Ｄ×血圧）÷Ｅ
【００２９】
ここで、Ａ、Ｂ、Ｃ、Ｄは定数であり、同じでもよく、異なってもよく、Ｅは定数である。また、ＡをＢ、Ｃ、Ｄより大きくし、呼吸頻度の数値Ｆに対する影響を高くしてもよい。
【００３０】
また、制御部はユーザーの入眠度を複数のレベルに分け、検出したユーザーの呼吸頻度、脈拍数、体温、血圧に基づいて対応するレベルを特定してもよい。例えば、レベル１、２、３、４を設け、そのうち、レベル１は目覚め状態を示し、レベル４は入眠状態を示してもよい。呼吸頻度、脈拍数、体温および／あるいは血圧が目覚め状態に対し（目覚め状態の値−入眠状態の値）×２０〜４０％低下した時、レベル２と設定し、呼吸頻度、脈拍数、体温および／あるいは血圧が目覚め状態に対し（目覚め状態の値−入眠状態の値）×５０〜７０％低下した時、レベル３と設定してもよい。
【００３１】
なお、ユーザー状態取得装置５はすべての呼吸頻度算出部５１、脈拍数算出部５２、体温算出部５３および血圧算出部５４を含む必要はなく、呼吸頻度算出部５１、脈拍数算出部５２、体温算出部５３および血圧算出部５４の少なくとも１つを含んでもよい。
【００３２】
また、ユーザー状態取得装置５は呼吸頻度算出部５１および脈拍数算出部５２を含んでもよい。制御部５５は、呼吸頻度および脈拍数に基づいて、呼吸頻度が低いほど、当該数値が小さく、脈拍数が低いほど、当該数値が小さくなるように、ユーザーの入眠度を示す数値を算出する。
【００３３】
また、ユーザー状態取得装置５は呼吸頻度算出部５１のみを含んでもよい。このような場合、制御部５５は呼吸頻度に対し如何なる処理も行わず、呼吸頻度をそのままユーザーの入眠度を示す数値としてもよい。
【００３４】
その後、制御部５５は算出結果を送信部５６に供給し、送信部５６は当該算出結果をユーザー状態を示す制御信号として点灯装置２の受信部３２に送信する。また、送信部５６が制御信号の送信を持続して行うように設けてもよく、点灯装置２が下記の睡眠誘導制御を行うとき制御信号の送信を行うように設けてもよい。また、送信部５６が制御信号の送信を定期的に行うように設けてもよく、制御部５５の算出結果の変化が所定の条件を満たしたとき制御信号の送信を行うように設けてもよい。
【００３５】
以下、点灯装置２の睡眠誘導制御を説明する。外部から対応する指示を受信したまたは所定の条件を満たした（例えば、ユーザーが予め定めたある時点に達した）とき、点灯回路２１から光源ユニット３に供給する電流の値が増大および低減する変化を行うように、制御回路３１は点灯回路２１に対し睡眠誘導制御を行い、また、受信部３２により受信された制御信号がユーザーが第１状態にあることを示す場合、受信部３２により受信された制御信号がユーザーが第２状態にあることを示す場合に比べて、点灯回路２１から光源ユニット３に供給する電流の平均値が低下し、ここで、第２状態に比べて、第１状態では、ユーザーはより入眠状態に近づく。
【００３６】
実際のユーザーのテストによる検証として、電流値が増大および低減する変化を行わせることにより、光源ユニットから発せられる光の明暗変化を生じさせ、人の情緒を安定させ、より容易に睡眠状態に入らせることができる。また、ユーザーが次第に入眠状態に入る過程において点灯回路２１から光源ユニット３に供給する電流の平均値を徐々に低下させることにより、ユーザーがすでに浅い眠り状態に入っている場合に光の強度の突然の変化により驚いて目を覚ますことを避けることができる。
【００３７】
睡眠誘導制御時に点灯回路２１から光源ユニット３に供給する電流の例は図２、３、４により示されるとおりである。図２、３、４の横軸は時間を示し、原点は睡眠誘導制御の実行を開始する時点であり、縦軸は電流値を示し、最大電流値に対する比率で示す。
【００３８】
図２において、電流は正弦波状に変化する。目覚め状態において制御部５５の算出結果は１０であり、入睡状態において制御部５５の算出結果は２であると仮定する。時点Ｔ１のとき、制御回路３１は受信部３２が受信した信号が１０から８に変わったと判断し、正弦波形の電流の最大値と最小値がいずれも低下するように、対応して点灯回路２１から光源ユニット３に供給する電流を調整する。時点Ｔ２のとき、制御回路３１は受信部３２が受信した信号が８から６に変わったと判断し、再度、点灯回路２１から光源ユニット３に供給する電流の最大値と最小値を下げる。時点Ｔ３のとき、制御回路３１は受信部３２が受信した信号が６から４に変わったと判断し、再度、点灯回路２１から光源ユニット３に供給する電流の最大値と最小値を下げ、この時、電流の最小値は０に変わる。時点Ｔ４のとき、制御回路３１は受信部３２が受信した信号が４から２に変わったと判断し、ユーザーが入眠状態に入ったと判断し、再度、点灯回路２１から光源ユニット３に供給する電流の最大値を下げ、１つの波形の終了後、光源ユニット３に電流を供給することを停止する。
【００３９】
図３において、電流は同様に正弦波状に変化する。図２と異なり各波形の電流の最小値は０に維持される。時点Ｔ１のとき、制御回路３１は受信部３２が受信した信号が１０から８に変わったと判断し、正弦波形の電流の最大値が低下するように、対応して点灯回路２１から光源ユニット３に供給する電流を調整する。時点Ｔ２のとき、制御回路３１は受信部３２が受信した信号が８から６に変わったと判断し、再度、点灯回路２１から光源ユニット３に供給する電流の最大値を下げる。時点Ｔ３のとき、制御回路３１は受信部３２が受信した信号が６から４に変わったと判断し、再度、点灯回路２１から光源ユニット３に供給する電流の最大値を下げる。時点Ｔ４のとき、制御回路３１は受信部３２が受信した信号が４から２に変わったと判断し、ユーザーが入眠状態に入ったと判断し、再度、点灯回路２１から光源ユニット３に供給する電流の最大値を下げ、１つの波形の終了後、光源ユニット３に電流を供給することを停止する。
【００４０】
図４において、電流は同様に正弦波状に変化するが、変化パターンは図２、３と異なる。時点Ｔ１のとき、制御回路３１は受信部３２が受信した信号が１０から８に変わったと判断し、正弦波形の電流の最大値が低下するように、対応して点灯回路２１から光源ユニット３に供給する電流を調整し、最小値は１０％のまま維持される。時点Ｔ２のとき、制御回路３１は受信部３２が受信した信号が８から６に変わったと判断し、再度、点灯回路２１から光源ユニット３に供給する電流の最大値を下げ、最小値は引き続き１０％に維持される。時点Ｔ３のとき、制御回路３１は受信部３２が受信した信号が６から４に変わったと判断し、同時に点灯回路２１から光源ユニット３に供給する電流の最大値と最小値を下げる。時点Ｔ４のとき、制御回路３１は受信部３２が受信した信号が４から２に変わったと判断し、ユーザーが入眠状態に入ったと判断し、再度、点灯回路２１から光源ユニット３に供給する電流の最大値と最小値を下げ、この時、最小値は０まで低下し、２つの波形の終了後、光源ユニット３に電流を供給することを停止する。
【００４１】
当業者にとって、上記の内容は例示にすぎず、本発明はこれに限定されない。点灯回路２１から光源ユニット３に供給する電流の条件の変更について、受信部３２が受信した制御信号が所定の変化を生じるように、例えば、所定幅下がる、または所定値まで下がるよう設けてもよい。また、当該所定幅または所定値は変化してもよい。例えば、睡眠誘導制御の前期において、判断条件である所定幅を大きく設け、睡眠誘導制御の後期において、制御条件である所定幅を小さく設けてもよい。
【００４２】
点灯回路２１から光源ユニット３に電流を供給するタイミングの変更について、前記条件を満たす時点を選択してもよく、前記条件を満たす時点後の次の波形（次に増大および低減する変化）の起点を選択してもよい。
【００４３】
点灯回路２１から光源ユニット３に供給する電流の変化について、上述したように、最大値および最小値を同時に下げることを選択してもよく、最大値のみを下げることを選択してもよい。毎回低下する幅は、同じでもよく、異なってもよく、制御信号の変化に関連するように設けてもよく、固定するように設けてもよい。最大値および最小値がいずれも低下するとき、最大値および最小値が低下する幅を同じに設けてもよく、異なるように設けてもよい。電流値の変化を除き、電流の波形の変化を同時に行ってもよい。例えば、睡眠誘導制御の前期において、電流の波形は三角波、矩形波などを用い、ユーザーが入眠状態に近づいたと判断したとき、電流の波形を正弦波に調整してもよい。
【００４４】
ユーザーが入眠状態に入ったと判断したときの処理について、現在の電流を所定時間継続して維持し、その後に電流供給を停止するように設けてもよく、電流を０より大きい所定値まで下げ、所定時間維持し、その後に電流供給を停止するように設けてもよく、直接電流供給を停止するように設けてもよい。
【００４５】
また、図２、３、４の例を比較して分かるように、図２により示される電流は睡眠誘導制御の前期に光源ユニット３から発せられる光を更に強くすることができるが、光の明暗変化は図３、４ほど明確でなく、かつ睡眠誘導制御の後期に光源ユニット３から発せられる光は弱い。図３により示される電流は最も強い明暗変化を生じさせることにより、より効果的にユーザーの注意を引くことができるが、前期から光源ユニット３が消灯する時間帯が現れ、不便であり、かつ前期の明暗変化が大きすぎて、一部のユーザーに刺激を与える可能性がある。図４により示される電流には図３の例と類似する欠点が存在するが、図３の例に対し若干改善されている。
【００４６】
制御回路３１中に図２、３、４に対応する制御プログラムを予め記憶し、点灯回路２１から光源ユニット３に対応する電流を供給するように、睡眠誘導制御を実行するとき、当該制御プログラムを自動で実行してもよい。また、さらに、予め記憶された例えば図２、３、４により示される電流波形のうち睡眠誘導制御時に供給する電流の波形をユーザーが選択するように、照明器具１にユーザーが操作可能な操作器を設けてもよい。例えば、図２により示される電流波形を予め「緩やか」パターンとして記憶し、図３により示される電流波形を予め「強い」パターンとして記憶し、図４により示される電流波形を予め「標準」パターンとして記憶してもよい。ユーザーは自らの必要に応じていずれかのパターンを選択してもよい。
【００４７】
ユーザーはさらに当該操作器により、電流を変更する条件、電流を変更する時点、電流の変更方法、電流の低下幅、入眠状態に入ったと判断した後の電流設定などを含む、睡眠誘導制御の各種設定を行ってもよい。ユーザーが編集を完了した後、点灯回路２１から出力される電流がユーザー編集が完了したパターンと一致するように、制御回路３１はユーザー編集が完了したパターンに基づいて点灯回路２１を制御してもよい。
【００４８】
以上、図２〜４により示される電流波形は例示にすぎず、本発明はこれに限定されない。図２〜４において、電流はいずれも正弦波状に変化し、これにより光源ユニットから発せられる光の強度を平滑に変化させることにより、光の急激な変化によりユーザーに与える刺激を弱めてもよい。しかし、点灯回路２１から光源ユニット３に供給する電流は、さらに他の波形形状で増大および低減する変化を行ってもよい（例えば三角波状、台形波状など）。また、本発明は電流の波形形状が睡眠誘導制御期間全体で同じである必要はない。例えば、前述のように、睡眠誘導制御の前期に電流は三角波の形状で変化し、睡眠誘導制御の後期に電流は正弦波の形状で変化するように設計してもよい。
【００４９】
図２〜４において、（１００％〜５０％）、（１００％〜０％）、（１００％〜１０％）などの各種電流の変化幅を例示した。しかし、本発明はこれに限定されない。当業者にとって周知のように、電流の変化幅が大きいほど、光源ユニットの光の明暗変化が明確であり、ユーザーの注意を引くことができるが、同時に光源ユニットの光の明暗変化が大きすぎると、ユーザーに刺激を与える。従って、実際の情況に応じて電流の変化幅を選択してもよい。
【００５０】
以下、図５、６を参照して電流変化の時間長設定を説明する。図５、６により示されるように、睡眠誘導制御を行うとき、点灯回路２１から光源ユニット３に供給する電流の変化における誘導時間帯を３秒〜３．７５秒の範囲内に設定してもよく、当該誘導時間帯は電流が最小値から最大値に増大する時間帯（図６により示される）または当該電流が最小値から最大値に増大した後、最小値に低減する時間帯（図５により示される）である。
【００５１】
これは人の呼吸頻度に基づき設けられる。人の呼吸頻度は通常１６〜２０回／分である。テストによる検証として、人は光の明暗変化を感知したとき、通常、無意識に一回の呼吸を完了する時間を、光が暗から明に変化する時間（電流が最小値から最大値に増大する時間帯、例えば図５、６により示される電流値が０％から１００％となる時間帯）または光が暗から明となり再び暗に変化する時間（電流が最小値から最大値に増大した後、最小値に低減する時間帯、例えば図５、６により示される電流値が０％から１００％となり再び０％となる時間帯）と同じに調整する。
【００５２】
光が暗から明に変化する時間または光が暗から明となり再び暗に変化する時間が３秒であるとき、人の呼吸頻度を２０回／分に導くことができる。光が暗から明に変化する時間または光が暗から明となり再び暗に変化する時間が３．７５秒であるとき、人の呼吸頻度を１６回／分に導くことができる。
【００５３】
従って、点灯回路２１から光源ユニット３に供給する電流の変化における誘導時間帯を３秒〜３．７５秒の範囲内に設定することにより、人の呼吸頻度を１６〜２０回／分内のある値に導き安定させ、睡眠誘導効果を更に高めてもよい。
【００５４】
このほか、睡眠誘導効果を更に高めるために、光源ユニット３が発する光の色温度を３０００Ｋ以下に設けてもよい。当業者にとって周知のように、人は異なる色温度の光に対し異なる心理的感覚を有し、テストによる検証として、異なるシーンに適用する異なる色温度が特定されている。例えば、色温度が６２００Ｋの光は人に目覚め状態を維持させ、通常、学習、朝食、昼食、起床などのシーンに適用され、色温度が５０００Ｋの光は、通常、料理、仕事、衣服選びなどのシーンに適用され、色温度が３５００Ｋの光は、通常、集まりなどのシーンに適用され、色温度が２７００Ｋの光は、通常、夕食、読書などのシーンに適用され、色温度が２５００Ｋの光は、通常、就寝前などのシーンに適用される。光源ユニット３が発する光の色温度を３０００Ｋ以下に設けることにより、より容易にユーザーをリラックス状態に入らせ、睡眠誘導効果を更に高めることができる。
【００５５】
発明者は本発明の照明器具に対するユーザーの実際の感覚をテストした。テスト結果は図７により示される。睡眠誘導制御実行時間が延びるにつれて、ユーザーの入眠感が増強し、かつユーザーの呼吸頻度が低下する。睡眠誘導制御実行時間が一定の長さに延びると、ほぼ確実にユーザーをスムーズに睡眠状態に入らせることができる。これは本発明の点灯装置および照明器具の睡眠改善に対する有効性を十分に証明している。当該テスト結果によると、睡眠誘導制御の時間を３０分以上に設けてもよい。
【００５６】
（実施例２）
実施例２は実施例１と異なり、睡眠誘導制御時に点灯回路２１から光源ユニット３に供給する電流の誘導時間帯は一定でなく、ユーザーが徐々に入眠状態に入るにつれて徐々に延びる。まず誘導時間帯を３秒に設定し、ユーザーが徐々に入眠状態に入るにつれて誘導時間帯を順次３．１６秒、３．３３秒、３．５３秒、３．７５秒に設定するように設けてもよい。
【００５７】
上述したように、３秒の誘導時間帯は人の呼吸頻度を２０回／分に導くことができ、３．１６秒の誘導時間帯は人の呼吸頻度を１９回／分に導くことができ、３．３３秒の誘導時間帯は人の呼吸頻度を１８回／分に導くことができ、３．５３秒の誘導時間帯は人の呼吸頻度を１７回／分に導くことができ、３．７５秒の誘導時間帯は人の呼吸頻度を１６回／分に導くことができる。
【００５８】
テストによる検証として、人はリラックス状態にあるほど呼吸頻度が低く、睡眠状態では、呼吸頻度は通常、最低値１６回／分である。以上のように誘導時間帯を徐々に延ばすことにより、ユーザーの呼吸頻度を徐々に低下させ、ユーザーがより早く睡眠状態に入れるようにする。
【００５９】
また、誘導時間帯を６０／（ユーザーの呼吸頻度−１）秒に設けてもよい。ユーザーの呼吸頻度が２０回／分であると判断したとき、ユーザーの呼吸を１９回／分に導くように、誘導時間帯を３．１６秒に設定する。ユーザーの呼吸頻度が１９回／分であると判断したとき、ユーザーの呼吸を１８回／分に導くように、誘導時間帯を３．３３秒に設定する。ユーザーの呼吸頻度が１８回／分であると判断したとき、ユーザーの呼吸を１７回／分に導くように、誘導時間帯を３．５３秒に設定する。ユーザーの呼吸頻度が１７回／分であると判断したとき、ユーザーの呼吸を１６回／分に導くように、誘導時間帯を３．７５秒に設定する。ユーザーの呼吸頻度が１６回／分であると判断したとき、ユーザーがすでに入眠状態に入ったと判断して、睡眠誘導制御を終了してもよい。
【００６０】
また、異なる誘導時間帯の設定値の間に遷移時間帯を設け、当該遷移時間帯内に、誘導時間帯を徐々に延ばしてもよい。例えば、ユーザーの呼吸頻度が２０回／分に変わったと判断したとき、１分間の遷移時間帯に入り、当該遷移時間帯内に、誘導時間帯は一定の長さに従って、例えば３．０４秒、３．０８秒、３．１２秒、３．１６秒の順序に従って、３秒から徐々に３．１６秒に延びる。
【００６１】
なお、以上の内容は例示にすぎず、本発明はこれに限定されない。例えば、ユーザーの呼吸頻度が低下したときのみ誘導時間帯を変更し、ユーザーの呼吸頻度が高くなったとき誘導時間帯をそのまま維持するように設けてもよい。前記の遷移時間帯は設けてもよく、設けなくてもよい。遷移時間帯の長さおよび誘導時間帯の変化パターンは任意に設けてもよい。また、ユーザー状態取得装置５が呼吸頻度算出部５１以外に脈拍数算出部５２、体温算出部５２、血圧算出部５４のうちいずれかを含む場合、制御部５５が脈拍数、体温および血圧のうちのいずれかおよび呼吸頻度を総合的に考慮して得られた制御信号に基づいて誘導時間帯を変更してもよい。受信部３２が受信した制御信号が所定の変化を発生したとき、例えば、所定幅低下、または所定値に低下したとき誘導帯を変更してもよい。また、所定幅または所定値は変更してもよい。例えば、実施例１において言及したように、目覚め状態において制御部５５の算出結果が１０であり、入睡状態において制御部５５の算出結果が２であると仮定すると、算出結果が１０、８、６、４、２のとき、誘導時間帯を対応して３秒、３．１６秒、３．３３秒、３．５３秒、３．７５秒に設定する。
【００６２】
誘導時間帯を変更するタイミングは、前述の条件を満たす時点を選択してもよく、前述の条件を満たす時点後の次の波形（次に増大および低減する変化）の起点を選択してもよい。
【００６３】
また、本発明は前記の５つの誘導時間帯すべてを必ず設定することに限定されず、そのうちの一部のみを含んでもよく、例えば受信部３２が受信した制御信号に基づいて誘導時間帯を順次３秒、３．３３秒、３．７５秒に設定してもよい。
【００６４】
（実施例３）
本発明の実施例による照明器具１１を図８に示す。実施例１と異なり、照明器具１１はさらに第２光源ユニット５を含む。当該第２光源ユニット５は点灯回路２１から供給される電流を受けて点灯する。第２光源ユニット５の光の色温度を光源ユニット３より高く設定してもよい。このように、１つの照明器具１１中に睡眠誘導制御を行うことができ、色温度が低い光源ユニット３および一般照明としての、色温度が高い第２光源ユニット５を収容することにより、１つの照明器具１１を用いて睡眠誘導と一般照明を同時に実現することができ、スペースを効果的に節約することができる。
【００６５】
第２光源ユニット５による光源ユニット３の睡眠誘導制御に対する影響を減らすために、光源ユニット３が睡眠誘導制御を行うときに第２光源ユニット５が消灯の状態にあるように設け、図９、１０により示されるように、光源ユニット３と第２光源ユニット５の照射方向を異なる方向に設定してもよい。
【００６６】
例えば、図９により示されるように、照明器具１１を天井の吊り照明に取り付けるとき、光源ユニット３を照明器具１１の外周部に取り付け、光源ユニット３の照射方向を上向き、すなわち天井方向に設定し、第２光源ユニット５を照明器具１１の中心部に取り付け、第２光源ユニット５の照射方向を下向き、すなわち床方向に設定することが考えられる。
【００６７】
図１０に示されるように、照明器具１１がフロアスタンドであるとき、光源ユニット３を照明器具１１の外周部に取り付け、光源ユニット３の照射方向を下向き、すなわち床方向に設定し、第２光源ユニット５を照明器具１１の中心部に取り付け、第２光源ユニット５の照射方向を上向き、すなわち天井方向に設定することが考えられる。
【００６８】
前記のように光源ユニット３の照射方向を設定することにより、ユーザーがベッドに横たわり、就寝しようとするとき、光源ユニット３から発せられる光の明暗変化をより明確に見ることができ、これにより光源ユニット３の睡眠誘導制御の効果を強めることができる。
【００６９】
なお、前記の光源ユニット３と第２光源ユニット５の設置位置および照射方向の設定は例示にすぎず、本発明はこれに限定されない。照明器具１１の具体的構成および設置位置により、光源ユニット３および第２光源ユニット５の設置位置および照射方向を設定してもよい。
【００７０】
以上、本発明の各実施例を説明したが、上述の説明は例示的であり、網羅的ではなく、かつ開示された各実施例に限定されるものでもない。説明された各実施例の範囲及び趣旨を超えない場合、当業者にとって多くの修正および変更はいずれも自明である。本文で用いられる用語の選択は、各実施例の原理、実際の適用または市場における技術の技術改良を最適に説明するため、あるいは当業者が本文により開示される各実施例を理解するためのものである。
【図１】
2019102440.tif 000003
【図２】
2019102440.tif 000004
【図３】
2019102440.tif 000005
【図４】
2019102440.tif 000006
【図５】
2019102440.tif 000007
【図６】
2019102440.tif 000008
【図７】
2019102440.tif 000009
【図８】
2019102440.tif 000010
【図９】
2019102440.tif 000011
【図１０】
2019102440.tif 000012